(57)【特許請求の範囲】
【請求項１】
タオル掛止用の弾性体が嵌め込まれる開口を有するタオル掛本体の枠を、壁面に吸着させる弾性材料よりなる椀形状の吸盤の上面外周縁に当接させた状態で吸盤を壁面とは直角な方向に押圧し、発生する吸着力により壁面に取り付けられる吸盤付タオル掛であって、前記吸盤の中央に、ねじ部を前記直角な方向に突出させた状態で、ボルトの頭部を埋設固着し、前記枠に設けた中央凹所に穿設された本体中央孔に前記ボルトを遊嵌貫通させる一方、前記ねじ部の先端には押圧用のボタンとして機能するキャップが六角ナットおよび座金を介して固定されて前記直角な方向に移動可能に設けられ、更に、前記座金および中央凹所間には前記ねじ部に嵌め込まれた状態でコイルスプリングが介装されるとともに、前記ボルトに固定された板体を前記吸盤に埋設固着する一方、前記タオル掛本体の枠は、前記吸盤との間に中空空間を有する状態で扁平に形成され、更に、前記弾性体は、タオルを掛けるための切れ目を有し、前記キャップを壁面側に押圧し、前記コイルスプリングを圧縮した状態で前記ボルトおよび板体を通して前記吸盤を強圧することにより前記壁面および吸盤間に形成される空間の空気を押し出し、前記コイルスプリングの引張り荷重により、前記吸盤の中央部に吸着力を発生させるように構成したことを特徴とする吸盤付タオル掛。
【請求項２】
非押圧時においては前記キャップの押圧面が前記中央凹所の周囲前面よりも突出して設けられている請求項１に記載の吸盤付タオル掛。
【請求項３】
前記切れ目が略十文字型に形成されている請求項１または請求項２に記載の吸盤付タオル掛。
【請求項４】
前記切れ目が菊割れ状に形成されている請求項１または請求項２に記載の吸盤付タオル掛。
【発明の詳細な説明】
【０００１】
【発明の属する技術分野】
この発明は、弾性材料よりなる椀形状の吸盤の吸着力により簡易的に壁面に取り付けられる吸盤付タオル掛に関するものである。
【０００２】
【従来の技術および発明が解決しようとする課題】
従来から浴室等の壁面に取り付けられるタオル掛９１として、例えば図９に示すように、長尺のパイプ９２にタオルを掛止する構成のものが知られているけれども、ビス止めによりパイプ９２を壁面に取り付ける施工作業が必要であったり、施工後、壁面に傷等の跡が残るといったことがあるとともに、タオルを無造作に掛けたりするとタオルがパイプ９２から滑り落ちたりしてタオル掛の動作が容易ではなくタオルをパイプ９２に掛けるのに手間がかかるといった問題や、更に、パイプ９２および壁面間のスペースが狭いとタオルを掛けることができないので、つまり、タオルをパイプ９２に掛けた後下方へタオルの端を折り返す必要があるので適宜の前出しスペースが必要で、その分浴室等においては邪魔になるといった問題があった。
【０００３】
この発明は、壁面に傷等の跡が残ることなく、壁面への取り付け作業が容易で、簡易に着脱できる吸盤付タオル掛を提供することを目的とする。
【０００４】
【課題を解決するための手段】
上記目的を達成するために、この発明は、タオル掛止用の弾性体が嵌め込まれる開口を有するタオル掛本体の枠を、壁面に吸着させる弾性材料よりなる椀形状の吸盤の上面外周縁に当接させた状態で吸盤を壁面とは直角な方向に押圧し、発生する吸着力により壁面に取り付けられる吸盤付タオル掛であって、前記吸盤の中央に、ねじ部を前記直角な方向に突出させた状態で、ボルトの頭部を埋設固着し、前記枠に設けた中央凹所に穿設された本体中央孔に前記ボルトを遊嵌貫通させる一方、前記ねじ部の先端には押圧用のボタンとして機能するキャップが六角ナットおよび座金を介して固定されて前記直角な方向に移動可能に設けられ、更に、前記座金および中央凹所間には前記ねじ部に嵌め込まれた状態でコイルスプリングが介装されるとともに、前記ボルトに固定された板体を前記吸盤に埋設固着する一方、前記タオル掛本体の枠は、前記吸盤との間に中空空間を有する状態で扁平に形成され、更に、前記弾性体は、タオルを掛けるための切れ目を有し、前記キャップを壁面側に押圧し、前記コイルスプリングを圧縮した状態で前記ボルトおよび板体を通して前記吸盤を強圧することにより前記壁面および吸盤間に形成される空間の空気を押し出し、前記コイルスプリングの引張り荷重により、前記吸盤の中央部に吸着力を発生させるように構成したことを特徴とする。
【０００５】
【発明の実施の形態】
以下にこの発明の実施の形態について説明する。なお、この発明はそれによって限定されるものではない。
【０００６】
図１〜図６は、この発明の第１の実施形態を示す。
図１〜図６において、浴室壁面Ｗに取り付けられる吸盤付タオル掛Ｔは、タオル掛本体の枠２と、タオル掛止用のゴム体３と、枠２を壁面Ｗに対して簡易に着脱させるための簡易着脱機構とから構成されている。
【０００７】
前記枠２は、狭い幅Ｌの外周折り曲げ部Ａと正面部Ｂからなる。つまり、枠２は後述する吸盤４との間にタオル２５の端が収容できる程度の狭い幅Ｌの中空空間３３を有する状態で扁平に形成されている。前記正面部Ｂに左右一対の開口１，１が形成されている。この実施形態では、前記枠２が扁平に形成され、更に、開口１は円形であり、前記枠２の折り曲げ部Ａが、中央に円弧状の山Ｍが形成された上部分５ａと、水平な下部分５ｂと、この下部分５ｂの左右から上部分５ｂへ至る半円を描いて形成された左右一対の側部分５ｃ，５ｄとで構成されている。
【０００８】
前記簡易着脱機構は、壁面Ｗに吸着させる弾性材料よりなる椀形状の吸盤４と、吸盤４押圧用のボタンとして機能するキャップ６と、六角ナット７および座金８と、コイルスプリング９と、吸盤４に埋設固着された板体１０と、吸盤４の中央に頭部１１が埋設固着されねじ部１２を壁面Ｗとは直角な方向に突出させているボルト１３とから主として構成される。
【０００９】
更に、前記枠２は中央前面に凹所１６を有するとともに、凹所１６の中央には前記ねじ部１２が貫通する孔１６ａが穿設されている。
【００１０】
また、前記枠２において、上部分５ａの前記吸盤４への当接箇所である前記円弧状の山Ｍの縁と、下部分５ｂの前記吸盤４への当接箇所である中央縁とに、多数の鋸歯形状片ｂが連続してなる鋸歯部１７が形成されている。
【００１１】
一方、吸盤４の上面外周縁にも前記鋸歯部１７と同様に、多数の鋸歯形状片ｃが全周にわたり連続してなる鋸歯部１８が形成されており、前記枠２の前記円弧状の山Ｍの縁と下部分５ｂの中央縁を吸盤４の前記上面外周縁に当接させた状態で吸盤４を壁面Ｗとは直角な方向に押圧できるように構成されている。この場合、鋸歯部１７，１８同士が噛合う（例えば図４参照）ことにより、前記枠２の回り止めを防止できる。
【００１２】
前記吸盤４は、中央平坦面ｍを有する中央部１９と、この中央部１９から斜め下方に折れ曲がった折曲部３１と、セット時に壁面Ｗに当接する当接部３２とで構成されている。
【００１３】
また、吸盤４内の前記板体１０は、壁面Ｗに略平行に配置されており、この実施形態では中央にボルト１３の貫通孔１０ａを有する略円板状のものが採用されている。そして、前記ボルト１３に遊嵌貫通させ、かつボルト１３の前記頭部１１の裏面１１ａに結合された状態で板体１０が頭部１１と共に吸盤４に埋設されている。例えば板体１０が金属製の場合は、ろう付けのような結合手段でボルト１３に結合され、板体１０が合成樹脂製の場合は、接着剤によりボルト１３に結合されうる。前記板体１０は、図４から明らかなように、ボルト１３の頭部１１よりも長い径を有し、吸盤４の中央部１９の領域を十分覆うことができる大きさに形成されている。１０ｂは、板体１０の外周縁で、前記中央平坦面ｍに平行設置されている中央部２０から斜め下方に折れ曲がった状態で延設されている。なお、前記板体１０を、ボルト１３の前記頭部１１の表面１１ｂ側に配置してもよい。
【００１４】
また、前記枠２の前記凹所１６に穿設された本体中央孔１６ａにはボルト１３が遊嵌貫通している。そして、前記キャップ６が六角ナット７および座金８を介してねじ部１２の先端に固定されており、キャップ６は押圧用のボタンとして機能する。この場合、キャップ６の裏側には、六角ナット７が嵌合可能な大きさの段差ｎ付の嵌合穴２２が形成されており、ねじ部１２の最先端面１２ａが嵌合穴２２の最底部２２ａに当たるまで六角ナット７を締め付けることでキャップ６がねじ部１２の先端に固定される。しかも、非押圧時（使用前）においては、前記キャップ６の押圧面ｅが凹所１６の周囲前面ｔよりも突出して設けられている。
【００１５】
更に、キャップ６を押圧した際〔例えば図３参照〕には、押圧面ｅが凹所１６の周囲前面ｔよりもごく僅かだけ突出した状態で位置して吸盤付タオル掛Ｔが取り付けられる。
【００１６】
２３は、吸盤４の外周側面に形成したリップ部である。また、枠２の正面部Ｂには、凹所１６以外に、開口１およびキャップ６間にＬ字型の引っかけ片２４が左右一対形成されている。
【００１７】
タオル掛止用の前記ゴム体３は外形が円をなし、円形の開口１に嵌め込まれる。２９はその嵌め込み用の環状溝で、この環状溝２９にゴム体３の外周縁３０が嵌め込まれる〔図５参照〕。
【００１８】
そして、前記ゴム体３はタオル２５を掛けるための切れ目２６を有しており、この切れ目２６が略十文字型に形成されている。
【００１９】
よって、タオル２５を無造作に掛けてもタオル２５が滑り落ちることなく確実にタオル２５を掛けることができる。すなわち、ゴム体３を切り裂いた切れ目２６にタオル２５を挟み込むだけで折り返す必要がなくタオル２５を保持できる。このように、タオル２５の保持がタオル２５の端を切れ目２６に挿入するだけの簡易な動作でなされる。また、タオル２５を引っ張るだけの簡単な動作でタオル２５の取り外しができる。
【００２０】
而して、吸盤付タオル掛Ｔを壁面Ｗに取り付けるには、壁面Ｗを清掃してホコリ、汚れ、油気等を除去した後、吸盤４を壁面Ｗに押し当てた状態で枠２を当接部３２に当てる。この場合、枠２が上下にずれないように調整する。
【００２１】
この状態で、キャップ６を壁面Ｗ側に強く押し、吸盤４を変形させて壁面Ｗおよび吸盤４間に形成される空間３０を真空状態にする。すなわち、キャップ６を押し、コイルスプリング９を圧縮した状態でボルト１３および板体１０を通して吸盤４を強圧することにより空間３０の空気を押し出し、コイルスプリング９の引張り荷重により、つまり、コイルスプリング９の圧縮を利用して吸盤４を引張ることにより、吸盤４の中央部１９に強力な吸着力が発生する。これにより、枠２を介してタオル掛Ｔを壁面Ｗに強力に取り付けることができる。
【００２２】
このように、吸盤４を壁面Ｗに押し当てた状態で、中央凹所１６の周囲前面ｔから突出しているキャップ６を強く押すだけの容易な操作で確実にタオル掛Ｔを壁面Ｗに取り付けることができる。
【００２３】
また、タオル掛Ｔの取り付け状態から、リップ部２３をつまみ上げ、空間３０内に空気を入れるだけでタオル掛Ｔを壁面Ｗから簡単に取り外しできる。
【００２４】
更に、従来では、パイプ９２および壁面間のスペースが狭いとタオルを掛けることができないので適宜の前出しスペースが必要であるけれども、この発明では、タオル２５の端がゴム体３で挟み込まれるだけでタオル２５を保持できるので、前出しスペースが少ないタオル掛けを提供できる。
【００２５】
図７は、枠２の正面部Ｂに左右一対の開口１，１を設け、キャップ６の直下にも開口１を設けたこの発明の第２の実施形態を示す。この場合、キャップ６の直上ではなく直下に開口１を設けたのは、タオルでキャップ６が隠れてしまうのを無くすためである。
【００２６】
図８は、ゴム体３の切れ目２６が菊割れ状に形成されているこの発明の第３の実施形態を示す。
【００２７】
【発明の効果】
以上説明したように、この発明によれば、キャップが六角ナットおよび座金を介してねじ部の先端に固定されており、キャップを壁面とは直角な方向に押すだけの容易な動作でボルトもキャップとともに移動して板体を通して吸盤を強圧できるので、壁面に対して簡易に着脱可能な吸盤付タオル掛を提供できる。
【００２８】
また、壁面に傷等の跡が残ることがない。
【００２９】
更に、タオルの端がゴム体で挟み込まれるだけでタオルを保持できるので、前出しスペースが少なくて済む。
【図面の簡単な説明】
【図１】この発明の第１の実施形態における使用状態を示す斜視図である。
【図２】上記実施形態を示す正面図である。
【図３】上記実施形態における上面図である。
【図４】上記実施形態における壁面への吸着状態を示す構成説明図である。
【図５】上記実施形態における要部構成説明図である。
【図６】上記実施形態における背面図である。
【図７】この発明の第２の実施形態を示す正面図である。
【図８】この発明の第３の実施形態を示す一部斜視図である。
【図９】従来例を示す斜視図である。
【符号の説明】
１…開口、２…タオル掛本体の枠、３…タオル掛止用のゴム体、４…吸盤、５…掛具本体、６…キャップ、７…六角ナット、８…座金、９…コイルスプリング、１０…板体、１２…ねじ部、１３…ボルト、１６…中央凹所、２５…タオル、２６…切れ目、３３…中空空間、Ｗ…壁面。
【図１】
0003798898.tif 000002
【図２】
0003798898.tif 000003
【図３】
0003798898.tif 000004
【図４】
0003798898.tif 000005
【図５】
0003798898.tif 000006
【図６】
0003798898.tif 000007
【図７】
0003798898.tif 000008
【図８】
0003798898.tif 000009
【図９】
0003798898.tif 000010